(57)【要約】【課題】この発明はユーザが接続機器の中から使用したい機器を効率よく選択できるようにした映像再生装置を提供する。【解決手段】  リムーバブル接続機器（メモリカード、ＵＳＢ接続機器）を固定接続機器（ｉ．Link接続機器、ＬＡＮ端子接続機器）より優先して、かつ接続の設定登録が新しいものの順に選択できるように機器選択一覧表の初期選択位置に表示させる。また、固定接続機器については、接続の設定登録が古いものの順に選択できるように配列させる。【選択図】    図４
2006092487.tif 000002
【特許請求の範囲】
【請求項１】
リムーバブル接続の映像機器と固定接続の映像機器の中から使用機器を選択するための機器選択一覧表を画面表示する映像再生装置において、
前記リムーバブル接続の機器及び固定接続の機器それぞれの接続時に接続時刻情報と共に設定登録する設定登録手段と、
前記設定登録手段の設定登録情報に基づいて、前記リムーバブル接続の機器を前記固定接続の機器より先に前記一覧表の初期選択位置に配置する一覧表作成手段とを具備することを特徴とする映像再生装置。
【請求項２】
前記一覧表作成手段は、前記リムーバブル接続の機器が複数ある場合には、設定登録の新しい順に配列することを特徴とする請求項１記載の映像再生装置。
【請求項３】
前記一覧表作成手段は、前記固定接続の機器が複数ある場合には、設定登録の古い順に配列することを特徴とする請求項１記載の映像再生装置。
【請求項４】
リムーバブル接続の映像機器と固定接続の映像機器を接続可能な映像再生装置に用いられ、前記映像機器の中から使用機器を選択するための機器選択一覧表を画面表示する映像機器一覧表示方法において、
前記リムーバブル接続の機器及び固定接続の機器それぞれの接続時に接続時刻情報と共に設定登録する設定登録ステップと、
前記設定登録ステップの設定登録情報に基づいて、前記リムーバブル接続の機器を前記固定接続の機器より先に前記一覧表の初期選択位置に配置する一覧表作成ステップとを具備することを特徴とする映像再生装置の映像機器一覧表示方法。
【請求項５】
前記一覧表作成ステップは、前記リムーバブル接続の機器が複数ある場合には、設定登録の新しい順に配列することを特徴とする請求項４記載の映像再生装置の映像機器一覧表示方法。
【請求項６】
前記一覧表作成ステップは、前記固定接続の機器が複数ある場合には、設定登録の古い順に配列することを特徴とする請求項４記載の映像再生装置の映像機器一覧表示方法。
【発明の詳細な説明】
【技術分野】
【０００１】
この発明は、デジタルテレビ受信機で受信処理した映像を表示するための映像再生装置に関し、特に当該映像再生装置に接続されている映像機器を識別するための映像機器一覧表示方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、映像再生装置に対し、例えばＨＤＤ（Hard Disk Drive）のような大容量のデジタル記録機器を接続することにより、受信した番組をデジタル記録したり、記録した番組を再生したりすることが可能となっている。また、単にＨＤＤの番組記録再生のみならず、デジタルカメラやその記録媒体を接続可能として撮影画像を表示する機能、外付けタイプのＨＤＤ映像記録再生装置を利用可能とする機能、ネットワークを通じて映像機器をアクセスし利用する機能を備えて付加価値を高めた装置も提供されつつある。
【０００４】
このように、デジタル放送受信装置では、映像再生装置を中心に、多種多様な映像機器が種々のインターフェースを通じて接続可能となっている。このため、ユーザが使用機器を選択するために、どの映像機器が使用可能であるかを画面上に表示し、選択の指示入力を受ける機能が必要となっている。このとき、ユーザが希望する映像機器を効率よく選択できるように表示することが望まれる。
【０００５】
尚、特許文献１には、アイコンメニューの表示方法が記載されており、使用頻度の高い順に表示位置をかえることが述べられている。しかしながら、登録順や機器の種類については記述されていない。
【特許文献１】特開２０００−９９２３６号公報
【発明の開示】
【発明が解決しようとする課題】
【０００６】
以上述べたように、デジタル放送受信装置のような映像再生装置では、多種多様な映像機器が種々のインターフェースを通じて接続可能となっているため、接続機器を画面上に表示し、選択の指示入力を受ける機能が必要であり、その際にユーザが効率よく使用機器を選択できるように表示することが要望される。
【０００７】
そこで、この発明は上記事情を考慮してなされたもので、ユーザが接続機器の中から使用したい機器を効率よく選択できるように、接続中の映像機器を識別表示することができる映像再生装置と映像機器一覧表示方法を提供することを目的とする。
【課題を解決するための手段】
【０００８】
この発明は、リムーバブル接続の映像機器と固定接続の映像機器の中から使用機器を選択するための機器選択一覧表を画面表示する映像再生装置において、前記リムーバブル接続の機器及び固定接続の機器それぞれの接続時に接続時刻情報と共に設定登録する設定登録手段と、前記設定登録手段の設定登録情報に基づいて、前記リムーバブル接続の機器を前記固定接続の機器より先に前記一覧表の初期選択位置に配置する一覧表作成手段とを具備することを特徴とするものである。
【０００９】
また、この発明は、リムーバブル接続の映像機器と固定接続の映像機器を接続可能な映像再生装置に用いられ、前記映像機器の中から使用機器を選択するための機器選択一覧表を画面表示する映像機器一覧表示方法において、前記リムーバブル接続の機器及び固定接続の機器それぞれの接続時に接続時刻情報と共に設定登録する設定登録ステップと、前記設定登録ステップの設定登録情報に基づいて、前記リムーバブル接続の機器を前記固定接続の機器より先に前記一覧表の初期選択位置に配置する一覧表作成ステップとを具備することを特徴といるものである。
【発明の効果】
【００１０】
上記した発明によれば、通常は接続されていないリムーバブル接続の映像機器を固定接続の映像機器に優先して初期選択位置に識別表示するようにし、しかもリムーバブル接続機器については登録の新しい順に、固定接続機器の場合は登録の古い順に識別表示するようにして、選択される可能性の高いと予想される順に並べて表示するようにした。これにより、ユーザが接続機器の中から使用したい機器を効率よく選択できるように、接続中の映像機器を識別表示することができる映像再生装置と映像機器一覧表示方法を提供することができる。
【発明を実施するための最良の形態】
【００１１】
以下、この発明の実施の形態について図面を参照して詳細に説明する。
【００１２】
図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１６】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１７】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（Phase Shift Keying）復調器４６に供給されて、デジタルの映像信号及び音声信号に復調された後、信号処理部４７に出力される。
【００２６】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２８】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２９】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３０】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３１】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３２】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３３】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換したり、表示色を任意に調整したりして、映像表示器１４に出力して映像表示させるとともに、出力端子５９を介して外部に導出させる。この映像処理部５８はリモコン１７からの指示に応答して、制御部６１の制御の基に色調整が可能で、自動色調整モードとユーザが好みによって調整する手動調整モードで動さ可能である。
【００３４】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３５】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３６】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３７】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３８】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３９】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４０】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４１】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４２】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４３】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４４】
以上のように、上記受信装置１１には、第１及び第２のメモリカード１９，２０を装着するためのカードホルダ６６、６８、ＮＡＳ接続専用の第１のＬＡＮ端子２１、一般のネットワーク対応映像機器と接続するための第２のＬＡＮ端子２２の他、各種映像機器を接続するためのＵＳＢ（Universal Serial Bus）端子２３及びｉ．Link端子２４を備え、いずれも制御部６１によって接続状態が管理されている。これらのホルダまたは端子に映像機器を接続する場合には、手動または自動によって「どこ」に「何」が「いつ」接続されているかを示す接続情報が制御部６１の不揮発性メモリ６４に設定登録される。
【００４５】
ここで、ユーザが接続されている全ての映像機器の中から任意の機器を選択し、コンテンツの記録または再生を行う場合、画面上に表示される映像機器選択一覧表の中から指定する。具体的な表示例を図４に示し、その表示の手法を図５に示すフローチャートに従って説明する。
【００４６】
まず、リモートコントローラ１７のメニューキー１７ｐの切換操作に従って「映像機器選択モード」が指定されると、最初にメモリカードが挿入されているか否かを判断し（ステップＳ１０１）、挿入されている場合には、選択項目として決定し、複数枚の場合には設定登録の新しい順に配列する（ステップＳ１０２）。挿入されていない場合には、次のステップＳ１０３に移行する。
【００４７】
次に、ＵＳＢ接続の映像機器があるか否かを判断し（ステップＳ１０３）、ＵＳＢ接続機器がある場合には、選択項目として決定し、複数個の場合には設定登録の新しいものから順に機器選択表に配列する（ステップＳ１０４）。ＵＳＢ接続機器がない場合には、次のステップＳ１０５に移行する。
【００４８】
次に、ｉ．Link接続の映像機器があるか否かを判断し（ステップＳ１０５）、ｉ．Link接続機器がある場合には、選択項目として決定し、複数個の場合には設定登録の古いものから順に機器選択表に配列する（ステップＳ１０６）。ｉ．Link接続機器がない場合には、次のステップＳ１０７に移行する。
【００４９】
次に、第１のＬＡＮ端子接続の映像機器があるか否かを判断し（ステップ１０７）、第１のＬＡＮ端子接続機器がある場合には、選択項目として決定し、機器選択表に配列する（ステップＳ１０８）。第１のＬＡＮ端子接続機器がない場合には、次のステップＳ１０９に移行する。
【００５０】
次に、第２のＬＡＮ端子接続の映像機器があるか否かを判断し（ステップ１０９）、第２のＬＡＮ端子接続機器がある場合には、選択項目として決定し、複数個の場合には設定登録の古いものから順に機器選択表に配列して（ステップＳ１１０）、一連の処理を終了する。第１のＬＡＮ端子接続機器がない場合も、一連の処理を終了する。以後、リモートコントローラ１７のカーソルキー１７ｆでカーソルを上下に移動させて目的の機器の選択状態とし、決定キー１７ｇをオン操作することで目的の機器が選択決定することができる。
【００５１】
すなわち、通常接続されていないケースが多いリムーバブル接続機器（メモリカード、ＵＳＢ接続機器）が接続されているということは、使用を前提として接続されたものと予測される。また、この場合には、接続が新しいものの使用が要望されると予想される。また、固定接続のもの（ｉ．Link接続機器、ＬＡＮ端子接続機器）は、一般的に使用頻度の高いものを先に接続すると考えられる。そこで、上記の処理手法では、リムーバブル接続機器を固定接続機器より優先して、かつ接続の設定登録が新しいものの順に選択できるように機器選択一覧表の初期選択位置に表示させている。また、固定接続機器については、接続の設定登録が古いものの順に選択できるように配列させている。
【００５２】
したがって、上記構成によるデジタルテレビジョン放送受信装置では、映像機器接続時になされた設定登録に基づく自動配列で機器選択一覧表を作成表示するようにしているので、ユーザにとって直ちに希望する機器を選択できる機会が多くなり、より使い勝手の優れた装置となる。
【００５３】
尚、上記実施形態では、同一種類毎に並べて表示するようにしたが、この発明はこれに限定されるものではなく、例えばリムーバブル接続機器と固定接続機器とを分け、それぞれ他の種類の機器と混在させながら設定登録の新しいものの順、古いものの順に並べるようにしてもよい。勿論、表示順序を手動で変更可能とする機能を設けて、ユーザの要望に応えられるようにしておくことが望ましい。また、全ての接続機器を表示する必要はなく、所定個数のみ表示し、スクロールによって画面上に現れるようにしてもよい。
【００５４】
以上、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５５】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置で表示する映像機器選択一覧表の画面表示例を示す図。
【図５】図４に示す映像機器選択一覧表の作成手順を示すフローチャート。
【符号の説明】
【００５６】
１１…デジタルテレビジョン放送受信装置、１２…キャビネット、１３…支持台、１４…映像表示器、１５…スピーカ、１６…操作部、１７…リモートコントローラ、１８…受光部、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ（Interface）、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ。
【図１】
2006092487.tif 000003
【図２】
2006092487.tif 000004
【図３】
2006092487.tif 000005
【図４】
2006092487.tif 000006
【図５】
2006092487.tif 000007